(57)【要約】【課題】複数の端子部に接続する複数の接続電線の固定を安価でまた据付工事の際の作業を容易にする空気調和機の室外機を提供すること。【解決手段】本発明の空気調和機の室外機は、熱交換器、送風機、圧縮機及びこれらを駆動する電気部品を備え、さらに、前記電気部品とリード線を介して電気的に接続する複数の端子部を配置する端子部板と、前記端子部を覆う電源カバーとを有し、前記電源カバーは前記複数の端子部に接続される複数の接続電線を挿入する挿入口と、前記挿入口近傍に前記複数の接続電線を押圧固定する固定部を具備した【選択図】図２
2011208897.tif 000002
【特許請求の範囲】
【請求項１】
熱交換器、送風機、圧縮機及びこれらを駆動する電気部品を備え、さらに、前記電気部品とリード線を介して電気的に接続する複数の端子部を配置する端子部板と、前記端子部を覆う電源カバーとを有し、前記電源カバーは前記複数の端子部に接続される複数の接続電線を挿入する挿入口と、前記挿入口近傍に前記複数の接続電線を押圧固定する固定部を具備したことを特徴とする空気調和機の室外機。
【請求項２】
電源カバーは、複数の端子部から挿入口へ導く扇状の逆凹状ガイド部を具備するものとしたことを特徴とする請求項１に記載の空気調和機の室外機。
【請求項３】
端子部板は、複数の端子部から挿入口へ導くガイド部を具備するものとしたことを特徴とする請求項１に記載の空気調和機の室外機。
【請求項４】
端子部板は、複数の端子部から前記挿入口へ導くねじ等で別の案内金具を固定するものとしたことを特徴とする請求項１に記載の空気調和機の室外機。
【発明の詳細な説明】
【技術分野】
【０００１】
本発明は、複数の箇所へ接続電線を接続する複数の端子部を配置した端子部板と複数の端子部を覆う電源カバーを具備した空気調和機の室外機に関するものである。
【背景技術】
【０００２】
従来、この種の空気調和機の室外機は、据付工事の際に複数の箇所へ接続される複数の接続電線は複数の専用の固定具で端子部板に固定し、さらに電源カバーで覆っている（例えば、特許文献１参照）。
【０００３】
図６は、特許文献１に記載された従来の空気調和機の室外機を示すものである。図６に示すように、空気調和機１は、熱交換器、送風機、圧縮機及びこれらを駆動する電気部品とリード線を介して電気的に接続する端子部２ａ，ｂと、端子部板３と、接続電線４ａ、ｂと、接続電線固定金具５ａ、ｂと電源カバー６から構成されている。
【先行技術文献】
【特許文献】
【０００４】
【特許文献１】特開平７−３０５８７０号公報
【発明の概要】
【発明が解決しようとする課題】
【０００５】
しかしながら、前記従来の構成では、据付工事の際には、一旦電源カバーと専用の固定具を取外した後、複数の箇所からの接続電線を複数の端子部に接続後、複数の接続電線を再度、専用の固定具で固定した後、電源カバーを再装着することになるので、材料費のアップや製造過程での専用の固定具の仮固定作業が発生すると共に、室外機の据付工事の際に専用の固定具を一旦取外して再度接続電線を固定するという作業も発生させるという課題を有していた。
【０００６】
本発明は、前記従来の課題を解決するもので、複数の端子部に接続する複数の接続電線の固定を安価でまた据付工事の際の作業を容易にする空気調和機の室外機を提供することを目的とする。
【課題を解決するための手段】
【０００７】
前記従来の課題を解決するために、本発明の空気調和機の室外機は、熱交換器、送風機、圧縮機及びこれらを駆動する電気部品を備え、さらに、前記電気部品とリード線を介して電気的に接続する複数の端子部を配置する端子部板と、前記端子部を覆う電源カバーとを有し、前記電源カバーは前記複数の端子部に接続される複数の接続電線を挿入する挿入口と、前記挿入口近傍に前記複数の接続電線を押圧固定する固定部を具備したことにより、据付工事で電源カバーを装着すると、電源カバーの固定部で複数の接続電線を専用の固定具なしで固定することが可能となる。
【発明の効果】
【０００８】
本発明は、複数の端子部に接続する複数の接続電線の固定を安価でまた据付工事の際の作業を容易にする空気調和機の室外機を提供することができる。
【図面の簡単な説明】
【０００９】
【図１】本発明の実施の形態１における空気調和機の室外機の一部を切断して示す正面図
【図２】同実施の形態１における空気調和機の室外機の一部を切断して示す側面図
【図３】（ａ）同実施の形態１における据付工事で電源カバー装着前の空気調和機の室外機要部斜視図（ｂ）同実施の形態１における空気調和機の室外機の電源カバーの斜視図（ｃ）同実施の形態１における据付工事で電源カバー装着後の空気調和機の室外機の要部斜視図
【図４】本発明の実施の形態２における空気調和機の室外機の要部斜視図
【図５】本発明の実施の形態３における空気調和機の室外機の要部斜視図
【図６】従来の空気調和機の室外機の要部側面図
【発明を実施するための形態】
【００１０】
第１の発明の空気調和機の室外機は、熱交換器、送風機、圧縮機及びこれらを駆動する電気部品を備え、さらに、前記電気部品とリード線を介して電気的に接続する複数の端子部を配置する端子部板と、前記端子部を覆う電源カバーとを有し、前記電源カバーは前記複数の端子部に接続される複数の接続電線を挿入する挿入口と、前記挿入口近傍に前記複数の接続電線を押圧固定する固定部を具備したことにより、据付工事で電源カバーを装着すると、電源カバーの固定部で複数の接続電線を専用の固定具なしで固定することが可能となる。
【００１１】
第２の発明の空気調和機の室外機は、特に第１の発明において、電源カバーは、複数の端子部から挿入口へ導く扇状の逆凹状ガイド部を具備するものとしたことにより、据付工事で電源カバーを装着すると複数の端子部に接続された複数の接続電線は扇状の逆凹状ガイド部で挿入口まで導かれることとなる。
【００１２】
第３の発明の空気調和機の室外機は、特に第１の発明において、端子部板は、複数の端子部から挿入口へ導くガイド部を具備するものとしたことにより、据付工事で複数の端子部に接続された複数の接続電線は端子部板のガイド部により挿入口に導くことが可能となる。
【００１３】
第４の発明の空気調和機の室外機は、特に第１の発明において、端子部板は、複数の端子部から前記挿入口へ導くねじ等で別の案内金具を固定するものとしたことにより、据付工事で複数の端子部に接続された複数の接続電線は端子部板にねじ等で固定された別の案内金具により挿入口に導くことが可能となる。
【００１４】
以下、本発明の実施の形態について、図面を参照しながら説明する。なお、この実施の形態によって本発明が限定されるものではない。
【００１５】
（実施の形態１）
図１は、実施の形態１における空気調和機の室外機の一部を切断して示す正面図、図２は実施の形態１における空気調和機の室外機の一部を切断して示す側面図、図３（ａ）は実施の形態１における据付工事で電源カバー装着前の空気調和機の室外機要部斜視図であり、図３（ｂ）空気調和機の室外機の電源カバーの斜視図であり、図３（ｃ）は据付工事で電源カバー装着後の空気調和機の室外機の要部斜視図を示すものである。
【００１６】
図１、図２及び図３において、空気調和機の室外機７には熱交換器、送風機、圧縮機及びこれらを駆動する電気部品８を備え、さらに、電気部品８とリード線９を介して電気的に接続する外電源用端子部１０ａと内外通信用端子部１０ｂを配置する端子部板１１と、外電源用端子部１０ａ、と内外通信用端子部１０ｂを覆う電源カバー１２を有している。
【００１７】
また、電源カバー１２は、外電源用端子部１０ａと内外通信用端子部１０ｂに接続される外電源用接続電線１３ａと、内外通信用接続電線１３ｂを挿入する挿入口１４と、挿入
口１４近傍に電源用接続電線１３ａと、内外通信用接続電線１３ｂを押圧固定する固定部１５と、外電源用端子部１０ａと内外通信用端子部１０ｂから挿入口１４へ導く扇状の絞り部１６を具備している。
【００１８】
さらに、電源カバー１２固定用のねじ１７ａ、ｂを挿入口１４の両端に配置し、さらに電源カバー１２と接続配管１８を接続する二方弁１９、三方弁２０を覆う配管カバー２１を具備する構成としたものである。
【００１９】
以上のように構成された空気調和機の室外機について、以下その動作、作用を説明する。
【００２０】
まず、室外機の据付工事においては、一旦配管カバーや電源カバーを取外し二方弁や三方弁に接続配管を接続させると共に外電源用接続電線と内外通信用接続電線を外電源用端子部と内外通信用端子部にそれぞれ接続し再度電源カバーを装着することにより、電源用接続電線と内外通信用接続電線は電源カバーの扇状の絞り部で挿入口まで導かれ、挿入口の両端で電源カバーをねじ固定すると電源カバーの固定部で挿入口まで導かれた外電源用接続電線と内外通信用接続電線を強固に固定することができることとなる。
【００２１】
以上のように、本実施の形態においては、外電源用端子部と内外通信用端子部を覆う電源カバーを、の外電源用端子部と内外通信用端子部に接続される外電源用接続電線と内外通信用接続電線を挿入する挿入口と挿入口近傍に電源用接続電線と内外通信用接続電線を押圧固定する固定部とさらに外電源用端子部と内外通信用端子部から挿入口へ導く扇状の絞り部を具備しさらに電源カバー固定用のねじを挿入口の両端に配置することにより、室外機の据付工事において、一旦配管カバーや電源カバーを取外し二方弁や三方弁に接続配管を接続させると共に外電源用接続電線と内外通信用接続電線を外電源用端子部と内外通信用端子部にそれぞれ接続し再度電源カバーを装着することにより、外電源用接続電線と内外通信用接続電線は電源カバーの扇状の絞り部で挿入口まで導かれ、挿入口の両端で電源カバーをねじ固定すると電源カバーの固定部で挿入口まで導かれた電源用接続電線と内外通信用接続電線を専用の固定具無しで強固に固定することとなり材料費の低減や製造過程での専用の固定具の仮固定作業が不要になり製造原価を低減すると共に室外機の据付工事の際に専用の固定具を取外して再度接続電線を固定するという作業も低減することができる。
【００２２】
（実施の形態２）
図４は、本発明の第２の実施の形態の空気調和機の室外機の要部斜視図である。
【００２３】
図１、図２及び図４において、空気調和機の室外機７には熱交換器、送風機、圧縮機及びこれらを駆動する電気部品８を備え、さらに、電気部品８とリード線９を介して電気的に接続する外電源用端子部１０ａと内外通信用端子部１０ｂを配置する端子部板１１と、外電源用端子部１０ａ、と内外通信用端子部１０ｂを覆う電源カバー１２を備え、電源カバー１２はの外電源用端子部１０ａと内外通信用端子部１０ｂに接続される外電源用接続電線１３ａと内外通信用接続電線１３ｂを挿入する挿入口１４と挿入口１４近傍に外電源用接続電線１３ａと内外通信用接続電線１３ｂを押圧固定する固定部１５と固定用ねじ１７ａ、ｂ配置し、さらに端子部板１１には外電源用端子部１０ａと内外通信用端子部１０ｂから挿入口１４へ導く複数の切越し部２２を具備し、さらに電源カバー１２と接続配管１８を接続する二方弁１９、三方弁２０を覆う配管カバー２１を具備する構成としたものである。
【００２４】
以上のように構成された空気調和機の室外機について、以下その動作、作用を説明する。
【００２５】
まず、室外機の据付工事においては、一旦配管カバーや電源カバーを取外し二方弁や三方弁に接続配管を接続させると共に取外し外電源用接続電線と内外通信用接続電線を外電源用端子部と内外通信用端子部にそれぞれ接続すると共に、外電源用端子部と内外通信用端子部から挿入口へ導く複数の切越し部に沿って外電源用接続電線と内外通信用接続電線をそれぞれ引回してから電源カバーをねじ固定すると電源カバーの固定部で挿入口まで導かれた外電源用接続電線と内外通信用接続電線を強固に固定することができることとなる。
【００２６】
このように、本実施の形態においては外電源用端子部と内外通信用端子部を覆う電源カバーを、の外電源用端子部と内外通信用端子部に接続される外電源用接続電線と内外通信用接続電線を挿入する挿入口と挿入口近傍に電源用接続電線と内外通信用接続電線を押圧固定する固定部と固定ねじを配置し、さらに端子部板には外電源用端子部と内外通信用端子部から挿入口へ導く複数の切越し部を具備する構成とすることにより、室外機の据付工事において、一旦配管カバーや電源カバーを取外し二方弁や三方弁に接続配管を接続させると共に外電源用接続電線と内外通信用接続電線を外電源用端子部と内外通信用端子部にそれぞれ接続すると共に、外電源用端子部と内外通信用端子部から挿入口へ導く複数の切越し部に沿って外電源用接続電線と内外通信用接続電線をそれぞれ引回してから電源カバーをねじ固定すると電源カバーの固定部で挿入口まで導かれた外電源用接続電線と内外通信用接続電線を専用の固定具無しで強固に固定することとなり材料費の低減や製造過程での専用の固定具の仮固定作業が不要になり製造原価を低減すると共に室外機の据付工事の際に専用の固定具を取外して再度接続電線を固定するという作業も低減することができる。
【００２７】
さらに、切起し部の先端を外電源用接続電線と内外通信用接続電線側にそれぞれ曲げを追加することにより一旦引回した外電源用接続電線と内外通信用接続電線が外れにくくなり、固定がより確実なものとなる。
（実施の形態３）
図５は、本発明の第３の実施の形態の空気調和機の室外機の要部斜視図である。
図１、図２及び図５において、空気調和機の室外機７には熱交換器、送風機、圧縮機及びこれらを駆動する電気部品８を備え、さらに、電気部品８とリード線９を介して電気的に接続する外電源用端子部１０ａと内外通信用端子部１０ｂを配置する端子部板１１と、外電源用端子部１０ａ、と内外通信用端子部１０ｂを覆う電源カバー１２を備え、電源カバー１２はの外電源用端子部１０ａと内外通信用端子部１０ｂに接続される電源用接続電線１３ａと内外通信用接続電線１３ｂを挿入する挿入口１４と挿入口１４近傍に外電源用接続電線１３ａと内外通信用接続電線１３ｂを押圧固定する固定部１５と固定用ねじ１７ａ，ｂ配置し、さらに端子部板１１には外電源用端子部１０ａから挿入口１４へ導く位置に、四方弁２３を保持しかつガイド壁２４を有する案内金具２５をねじ２６で固定し、さらに内外通信用端子部１０ｂから挿入口１４へ導く複数の切越し部２７を具備し、さらに電源カバー１２と接続配管１８を接続する二方弁１９、三方弁２０を覆う配管カバー２１を具備する構成としたものである。
【００２８】
以上のように構成された空気調和機の室外機について、以下その動作、作用を説明する。
【００２９】
まず、室外機の据付工事においては、一旦配管カバーや電源カバーを取外し二方弁や三方弁に接続配管を接続させると共に外電源用接続電線と内外通信用接続電線を外電源用端子部と内外通信用端子部にそれぞれ接続すると共に、外電源用端子部から挿入口へ導く保持金具のガイド壁に沿って外電源用接続電線を引回しさらに内外通信用端子部から挿入口へ導く複数の切越し部に沿って内外通信用接続電線を引回してから電源カバーをねじ固定
すると電源カバーの固定部で挿入口まで導かれた外電源用接続電線と内外通信用接続電線を強固に固定することができることとなる。
【００３０】
このように、本実施の形態においては外電源用端子部と内外通信用端子部を覆う電源カバーを、の外電源用端子部と内外通信用端子部に接続される電源用接続電線と内外通信用接続電線を挿入する挿入口と挿入口近傍に外電源用接続電線と内外通信用接続電線を押圧固定する固定部と固定ねじを配置し、さらに端子部板には外電源用端子部から挿入口へ導く位置に、四方弁を保持すしかつガイド壁を有する保持金具をねじで固定しさらに内外通信用端子部から挿入口へ導く複数の切越し部を具備する構成とすることにより、室外機の据付工事において、一旦配管カバーや電源カバーを取外し二方弁や三方弁に接続配管を接続させると共に外電源用接続電線と内外通信用接続電線を外電源用端子部と内外通信用端子部にそれぞれ接続すると共に、外電源用端子部から挿入口へ導く保持金具のガイド壁に沿って外電源用接続電線を引回しさらに内外通信用端子部から挿入口へ導く複数の切越し部に沿って内外通信用接続電線を引回してから電源カバーをねじ固定すると電源カバーの固定部で挿入口まで導かれた外電源用接続電線と内外通信用接続電線を専用の固定具無しで強固に固定することとなり材料費の低減や製造過程での専用の固定具の仮固定作業が不要になり製造原価を低減すると共に室外機の据付工事の際に専用の固定具を取外して再度接続電線を固定するという作業も低減することができる。
【００３１】
さらに、保持金具のガイド壁の先端を外電源用接続電線側に曲げを追加し切起し部の先端を内外通信用接続電線側に曲げを追加することにより一旦引回した外電源用接続電線と内外通信用接続電線が外れにくくなり、固定がより確実なものとなる。
【産業上の利用可能性】
【００３２】
以上のように、本発明に係る空気調和機の室外機は、シングルエアコンだけではなく、マルチエアコンの室外機においても適用することができる。
【符号の説明】
【００３３】
１  室外機
１０  端子部
１１  端子部板
１２  電源カバー
１３  接続電線
【図１】
2011208897.tif 000003
【図２】
2011208897.tif 000004
【図３】
2011208897.tif 000005
【図４】
2011208897.tif 000006
【図５】
2011208897.tif 000007
【図６】
2011208897.tif 000008